(57)【特許請求の範囲】
【請求項１】
少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記サーバが前記ネットワークを介して前記消費者端末装置に広告を配信する広告配信方法であって、
前記サーバが、前記ネットワークを介して、前記消費者端末装置から、広告媒体者の識別情報であるユーザ指定情報と商品の検索条件とを含む閲覧要求を受信するステップと、
前記サーバが、予め記憶装置に格納していたユーザ指定情報を含む広告媒体者の情報を元に、前記受信したユーザ指定情報に該当する広告媒体者を特定し、該特定した広告媒体者と対応付けられた商品のうち、前記受信した商品の検索条件に該当する商品の広告情報を、予め記憶装置に格納していた複数の商品に関する広告情報の中から検索するステップと、
前記サーバが、前記検索により得られた広告情報を、前記ネットワークを介して前記消費者端末装置に配信するステップと
を備えたことを特徴とする広告配信方法。
【請求項２】
前記受信するステップは、複数回、前記複数の広告媒体者のユーザ指定情報を受信し、
前記検索するステップは、前記複数回受信した複数の広告媒体者のユーザ指定情報のうち、いずれの受信時にも含まれている前記ユーザ指定情報を特定し、該特定したユーザ指定情報に該当する広告媒体者と対応付けられた商品のうち、前記受信した商品の検索条件に該当する商品の広告情報を検索する
ことを特徴とする請求項１記載の広告配信方法。
【請求項３】
少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記消費者端末装置が前記ネットワークを介して前記サーバから広告を取得する広告取得方法であって、
前記消費者端末装置が、前記ネットワークを介して、前記広告媒体者端末装置から、広告媒体者の識別情報であるユーザ指定情報を受信するステップと、
前記消費者端末装置が、その所有者である消費者から商品の検索条件が入力されると、前記ユーザ指定情報と前記検索条件とを含んだ閲覧要求を、前記ネットワークを介して前記サーバへ送信するステップと、
前記消費者端末装置が、前記閲覧要求に応じて前記サーバから配信される広告情報を、前記ネットワークを介して取得するステップと
を備えたことを特徴とする広告取得方法。
【請求項４】
前記受信するステップは、複数回、複数の前記広告媒体者端末装置からユーザ指定情報を受信し、
前記送信するステップは、複数回、複数の前記広告媒体者のユーザ指定情報を送信することを特徴とする請求項３記載の広告取得方法。
【請求項５】
少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記サーバが前記ネットワークを介して前記消費者端末装置に広告を配信する広告配信方法であって、
前記サーバが、前記ネットワークを介して、前記消費者端末装置から、広告媒体者の識別情報であるユーザ指定情報と、広告媒体者を特定するためのプロファイルと、商品の検索条件とを含む閲覧要求を受信するステップと、
前記サーバが、予め記憶装置に格納していたユーザ指定情報およびプロファイルを含む広告媒体者の情報を元に、前記受信した複数のユーザ指定情報で特定される複数の広告媒体者のうち、前記プロファイルに該当する広告媒体者を特定し、該特定した広告媒体者と対応付けられた商品のうち、前記受信した商品の検索条件に該当する商品の広告情報を予め記憶装置に格納していた複数の商品に関する広告情報の中から検索するステップと、
前記サーバが、前記検索により得られた広告情報を、前記ネットワークを介して前記消費者端末装置に配信するステップと
を備えたことを特徴とする広告配信方法。
【請求項６】
少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記消費者端末装置が前記ネットワークを介して前記サーバから広告を取得する広告取得方法であって、
前記消費者端末装置が、前記ネットワークを介して、前記広告媒体者端末装置から、広告媒体者の識別情報であるユーザ指定情報を受信するステップと、
前記消費者端末装置が、その所有者である消費者から広告媒体者を特定するためのプロファイルと商品の検索条件とが入力されると、前記ユーザ指定情報と前記広告媒体者を特定するためのプロファイルと前記商品の検索条件とを含んだ閲覧要求を、前記ネットワークを介して前記サーバへ送信するステップと、
前記消費者端末装置が、前記閲覧要求に応じて前記サーバから配信される広告情報を、前記ネットワークを介して取得するステップと
を備えたことを特徴とする広告取得方法。
【発明の詳細な説明】
【０００１】
【発明の属する技術分野】
本発明は、サーバに広告を配信させるための広告配信方法、及び、端末装置にネットワークを介してサーバから広告を取得させるための広告取得方法に関する。
【０００２】
【従来の技術】
従来、商品を消費者に販売する場として、店頭でのウィンドウショッピングやカタログでの通信販売、インターネット上のＥＣ（電子商取引）サイト等が存在する。また商品を広告する手段としては、テレビやラジオ、新聞、雑誌といった情報媒体上での広告、チラシなどの媒体による広告、街頭での宣伝、インターネットのホームページ上のバナー広告といったものがあげられる。
【０００３】
現在、携帯電話等の普及により多くの人が携帯端末を持ち歩くようになった。ここでは携帯端末とは携帯可能な電話機および情報機器端末等を指す。それに加えてBluetoothなどのwireless network技術が発達し、携帯端末同士での直接の情報のやり取りが可能になってきた。ここでwireless networkとは、携帯端末向けの無線通信技術を利用して音声やデータを送受するネットワークである。現在利用されている無線通信技術は携帯電話で用いられる無線通信技術に加えて、携帯情報機器向けのBluetoothやＩｒＤＡ、HomeＲＦなどが代表的である。
【０００４】
携帯電話等の携帯端末を用いた広告配信システムにおける従来の技術として、特願平１１−７００７５の広告管理センターから携帯端末に広告データを配信して広告を表示する携帯電話を用いた広告配信システムや、特願平１０−３０１４２６の携帯電話機と情報サービスサーバとの間で、文字情報で利用者のリクエストに対する情報配信を行う情報配信サービスシステムが提案されている。また、特願平７−３５１５２に、全国共通の広告情報と地域の広告情報の何れかを利用者に配信・表示する情報表示方法および装置が提案されている。
【０００５】
従来の広告配信は、いずれも広告管理サーバなどの広告配信サーバから配信された広告を携帯端末上で閲覧するものである。
【０００６】
【発明が解決しようとする課題】
消費者が街角で偶然に見かけた人の身につけている服、雑貨等と同じ商品を購入したいと思った場合、その商品を探す方法としては以下の方法がある。
（１）所望の商品を身につけている人に直接購入場所等の情報を尋ねる。
（２）その場で友人にたずねる。もしくはその映像を撮影し、知っていそうな人に見せてたずねる。
（３）あとでウィンドウショッピングをして探す。
（４）あとで雑誌等の媒体やインターネットを使って所望の商品についての情報を検索する。
【０００７】
消費者が所望の商品を探す場合、（１）の方法は最も効率的ではあるが、面識のない人に突然直接尋ねることは多くの消費者には困難である。（２）〜（４）の方法を用いても、その商品の販売者や入手場所などの購入の手がかりとなる情報はわからないことが多い。消費者がそういった手がかりなしでその商品と同じものを購入するには、多くの店舗またはカタログ、サイトなどを探索して商品を探さねばならず時間がかかるばかりでなく、目的のものを探し出せない可能性が高い。また時間の経過に伴い、消費者の印象は薄れていくので、さらに探し出すのが困難になる。
【０００８】
一方、販売者にとっても、従来の一般的な広告手法だけでは上記のような消費者の要求に即時に応えることができず、消費者の購買意欲があるにも係わらずその商品の販売の機会を逃している。
【０００９】
本発明の課題は、他人が身につけまたは所持している商品の広告情報をその場で入手できるようにすることである。
【００１０】
【課題を解決するための手段】
請求項１に係る広告配信方法は、少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記サーバが前記ネットワークを介して前記消費者端末装置に広告を配信する広告配信方法であって、前記サーバが、前記ネットワークを介して、前記消費者端末装置から、広告媒体者の識別情報であるユーザ指定情報と商品の検索条件とを含む閲覧要求を受信するステップと、前記サーバが、予め記憶装置に格納していたユーザ指定情報を含む広告媒体者の情報を元に、前記受信したユーザ指定情報に該当する広告媒体者を特定し、該特定した広告媒体者と対応付けられた商品のうち、前記受信した商品の検索条件に該当する商品の広告情報を、予め記憶装置に格納していた複数の商品に関する広告情報の中から検索するステップと、前記サーバが、前記検索により得られた広告情報を、前記ネットワークを介して前記消費者端末装置に配信するステップとを備えたことを特徴とするものである。
【００１１】
この発明によれば、消費者は、街の中で見かけた人が身につけている商品、あるいは所持している商品の広告情報を直ちに入手することができる。商品を販売する側から見ると、商品に興味を持った消費者に対して広告情報を即時に提供できるので、高い広告効果が見込める。
しかも、消費者が興味を持った商品の検索条件（例えば、商品種別、色など）と広告媒体者のユーザ指定情報とをサーバに送信することで、消費者の周りに多数の広告媒体者が存在する場合でも、広告媒体者を的確に特定して目的とする商品の広告情報を入手することができる。
請求項２に係る広告配信方法は、上記請求項１に係る広告配信方法において、前記受信するステップは、複数回、前記複数の広告媒体者のユーザ指定情報を受信し、前記検索するステップは、前記複数回受信した複数の広告媒体者のユーザ指定情報のうち、いずれの受信時にも含まれている前記ユーザ指定情報を特定し、該特定したユーザ指定情報に該当する広告媒体者と対応付けられた商品のうち、前記受信した商品の検索条件に該当する商品の広告情報を検索することを特徴とするものである。
この発明によれば、例えば、対象となる広告媒体者の近くで広告媒体者のユーザ指定情報を複数回受信することで、広告媒体者を絞り込むこともできるようになる。これにより消費者が興味のある商品を身につけまたは所持している広告媒体者を特定し、目的とする商品の広告情報を確実に入手することができる。
請求項３に係る広告取得方法は、少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記消費者端末装置が前記ネットワークを介して前記サーバから広告を取得する広告取得方法であって、前記消費者端末装置が、前記ネットワークを介して、前記広告媒体者端末装置から、広告媒体者の識別情報であるユーザ指定情報を受信するステップと、前記消費者端末装置が、その所有者である消費者から商品の検索条件が入力されると、前記ユーザ指定情報と前記検索条件とを含んだ閲覧要求を、前記ネットワークを介して前記サーバへ送信するステップと、前記消費者端末装置が、前記閲覧要求に応じて前記サーバから配信される広告情報を、前記ネットワークを介して取得するステップとを備えたことを特徴とするものである。
この発明によれば、請求項１の発明と同様、消費者が興味を持った商品の検索条件（例えば、商品種別、色など）と広告媒体者のユーザ指定情報とをサーバに送信することで、消費者の周りに多数の広告媒体者が存在する場合でも、広告媒体者を的確に特定して目的とする商品の広告情報を入手することができる。
請求項４に係る広告取得方法は、上記請求項３に係る広告取得方法において、前記受信するステップは、複数回、複数の前記広告媒体者端末装置からユーザ指定情報を受信し、前記送信するステップは、複数回、複数の前記広告媒体者のユーザ指定情報を送信することを特徴とすることを特徴とするものである。
この発明によれば、請求項２の発明と同様、対象となる広告媒体者の近くで広告媒体者のユーザ指定情報を複数回受信することで、広告媒体者を絞り込むこともできるようになる。これにより消費者が興味のある商品を身につけまたは所持している広告媒体者を特定し、目的とする商品の広告情報を確実に入手することができる。
請求項５に係る広告配信方法は、少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記サーバが前記ネットワークを介して前記消費者端末装置に広告を配信する広告配信方法であって、前記サーバが、前記ネットワークを介して、前記消費者端末装置から、広告媒体者の識別情報であるユーザ指定情報と、広告媒体者を特定するためのプロファイルと、商品の検索条件とを含む閲覧要求を受信するステップと、前記サーバが、予め記憶装置に格納していたユーザ指定情報およびプロファイルを含む広告媒体者の情報を元に、前記受信した複数のユーザ指定情報で特定される複数の広告媒体者のうち、前記プロファイルに該当する広告媒体者を特定し、該特定した広告媒体者と対応付けられた商品のうち、前記受信した商品の検索条件に該当する商品の広告情報を予め記憶装置に格納していた複数の商品に関する広告情報の中から検索するステップと、前記サーバが、前記検索により得られた広告情報を、前記ネットワークを介して前記消費者端末装置に配信するステップとを備えたことを特徴とするものである。
この発明によれば、無線信号の受信可能エリア内に多数の広告媒体者が存在する場合でも、広告媒体者をプロファイルにより絞り込むことができるので、消費者が知りたい商品の広告情報を確実に入手することができる。
請求項６に係る広告取得方法は、少なくとも、広告の提供を受ける消費者が所有する端末装置である１以上の消費者端末装置と、所定の商品を身につけ又は所持することで消費者にとっての広告媒体としての役割を担う広告媒体者が所有する端末装置である１以上の広告媒体者端末装置とが、広告配信サービスに関わる１以上のサーバにネットワークを介して接続された広告提供システムにおける、前記消費者端末装置が前記ネットワークを介して前記サーバから広告を取得する広告取得方法であって、前記消費者端末装置が、前記ネットワークを介して、前記広告媒体者端末装置から、広告媒体者の識別情報であるユーザ指定情報を受信するステップと、前記消費者端末装置が、その所有者である消費者から広告媒体者を特定するためのプロファイルと商品の検索条件とが入力されると、前記ユーザ指定情報と前記広告媒体者を特定するためのプロファイルと前記商品の検索条件とを含んだ閲覧要求を、前記ネットワークを介して前記サーバへ送信するステップと、前記消費者端末装置が、前記閲覧要求に応じて前記サーバから配信される広告情報を、前記ネットワークを介して取得するステップとを備えたことを特徴とするものである。
この発明によれば、請求項５の発明と同様、無線信号の受信可能エリア内に多数の広告媒体者が存在する場合でも、広告媒体者をプロファイルにより絞り込むことができるので、消費者が知りたい商品の広告情報を確実に入手することができる。
【００１２】
次に、図を用いて、本発明に係る携帯端末装置および広告配信の一例についてそれぞれ簡単に説明する。
図１は、本発明に係る携帯端末装置の一例を示す説明図である。本発明の１つの態様の携帯端末装置は、無線信号送受信手段１と、広告媒体者が身につけまたは所持している商品の広告情報を記憶する記憶手段２と、広告情報の送信要求を受信したとき、前記記憶手段２に記憶してある広告情報を前記無線信号送受信手段１から送信させる制御手段３とを備える。
【００１３】
本発明に係る携帯端末装置４を用いた広告媒体者と消費者間の広告の配信の一例を、図２を参照して説明する。
広告媒体者Ｂが所持する携帯端末装置には、例えば、広告媒体者が身につけまたは所持している商品Ｃの広告情報（例えば、商品の広告情報が提供されるウェブサイトを指定する情報）が記憶されている。街の中などで広告広告媒体者Ｂを見かけた消費者Ａが広告配信要求を行うと、広告媒体者Ｂの携帯端末装置に記憶されている広告情報が送信される。消費者Ａの携帯端末装置は、受信した広告情報に基づいて、ネットワークに接続された広告配信装置に対して別途、広告の閲覧を要求する。
【００１４】
本発明によれば、消費者は、街の中で見かけた人が身につけている商品、あるいは所持している商品の広告情報を直ちに入手することができる。商品を販売する側から見ると、商品に興味を持った消費者に対して広告情報を即時に提供できるので高い広告効果が見込める。
【００１５】
さらに、従来、消費者が興味を持ってもその商品をどこで販売しているか分からないために販売機会を失うことを防止できる。
上記の広告提供方法において、商品の広告情報が提供されるネットワーク上の位置を指定する情報を送信させるようにしても良い。
【００１６】
上記の広告提供方法に係る発明において、広告媒体者の携帯端末装置から送信された情報を契機として該情報を受信した消費者が広告を閲覧または商品を購入したとき、前記情報を提供した広告媒体者に広告報酬が付与されるようにしても良い。
【００１７】
このように構成することで、消費者は自分が広告媒体者として広告情報を配信することで報酬を獲得することができる。また、広告報酬が得られることにより広告媒体者として登録する人数が増えることが期待できるので、さらに広告効果を高めることができる。
【００１８】
なお、広告媒体者の携帯端末装置の記憶手段には、上記のように広告情報が提供されるウェブサイト等を指定する広告指定情報（ＵＲＬ等）を記憶させる他に、商品の種類、色、価格等、商品を購入する際に必要となる情報を記憶させ、消費者が広告媒体者の携帯端末装置から直接その広告情報を入手できるようにしても良い。
【００１９】
本発明に係る広告取得方法は、広告媒体者の広告媒体者携帯端末装置に対して広告情報の送信を要求し、前記広告媒体者携帯端末装置から送信されてくる前記広告媒体者が身につけまたは所持している商品の広告情報を受信し、受信した広告情報を表示させる。
【００２０】
この発明によれば、消費者が街の中などで興味のある商品を身につけている人を見かけた場合に、広告情報の送信を要求することで、その場で所望の商品の広告情報を入手することができるので、雑誌、インターネット等でわざわざ広告情報を探す必要がなくなる。
【００２１】
上記の発明において、対象となる広告媒体者が無線信号が受信可能な範囲にいる状態で広告の送信要求を複数回行ったときに、広告媒体者携帯端末装置から送信されてくる広告媒体者のユーザ指定情報を複数回受信し、受信したユーザ指定情報により広告媒体者を絞り込むようにしても良い。
【００２２】
このように構成することで、対象となる広告媒体者の近くで、広告媒体者のユーザ指定情報を複数回受信することで広告媒体者を絞り込むことができる。これにより消費者が興味のある商品を身につけまたは所持している広告媒体者を特定し、目的とする商品の広告情報を確実に入手することができる。
【００２３】
上記の発明において、広告媒体者から受信したユーザ指定情報と、消費者が興味のある商品を身につけまたは所持している広告媒体者のプロファイルを指定して広告情報の送信を要求するようにしても良い。
【００２４】
このように構成することで、無線信号の受信可能エリア内に多数の広告媒体者が存在する場合でも、広告媒体者をプロファイルにより絞り込むことができるので、消費者が知りたい商品の広告情報を確実に入手することができる。
【００２５】
上記の発明において、携帯端末装置（広告媒体者携帯端末装置または消費者携帯端末装置）は、携帯電話網の無線基地局との間で無線通信を行う機能と、携帯端末装置間で無線通信を行う機能を有するようにしても良い。これにより、携帯電話等を利用して簡単に広告情報の配信及び受信が可能となる。
【００２６】
本発明に係る広告配信方法は、複数の広告情報を記憶し、広告媒体者のユーザ登録を受け付け、前記ユーザ登録の行われた広告媒体者の広告媒体者携帯端末装置に商品の広告情報を配信し、広告媒体者携帯端末装置から消費者携帯端末装置に送信された広告情報に基づいて広告の閲覧要求があったとき、該当する広告を検索して前記消費者携帯端末装置に配信する。
【００２７】
この発明によれば、消費者は、例えば、街の中で見かけた人が身につけている商品、あるいは所持している商品に興味を持ったとき、広告情報の送信要求を送信し、それに対応して広告媒体者の広告媒体者携帯端末装置から送信されてくる広告情報を受信し、複数の広告情報を記憶する広告配信装置にその広告情報に基づいて広告の閲覧要求を行うことで、商品の広告をその場で入手することができる。商品を販売する側から見ると、商品に興味を持った消費者に対して広告情報を即時に提供できるので高い広告効果が見込める。
【００２８】
また、消費者が広告媒体者携帯端末装置から広告媒体者のユーザ指定情報を受信し、消費者が指定する商品の検索条件と広告媒体者のユーザ指定情報を広告配信装置に送信して広告閲覧要求を行うようにしても良い。
【００２９】
このように構成することで、消費者が興味を持った商品の検索条件、例えば、商品種別、色などを広告配信装置に送信することで、消費者の周りに多数の広告媒体者が存在する場合でも、広告媒体者を的確に特定して目的とする商品の広告情報を入手することができる。
【００３０】
本発明に係る広告配信方法は、複数の広告情報を記憶し、広告媒体者から要求された商品の広告情報を広告媒体者の携帯端末装置に配信し、広告媒体者の携帯端末装置から消費者の携帯端末装置に送信された広告情報を契機として該広告情報を受信した消費者が広告を閲覧または商品を購入したとき、前記広告情報を提供した広告媒体者に広告報酬を与える。
【００３１】
この発明によれば、消費者は自分が広告媒体者として広告情報を配信することで報酬を獲得することができる。また、広告報酬が得られることにより広告媒体者として登録する人数が増えることが期待できるので、さらに広告効果を高めることができる。
【００３２】
本発明に係る広告配信方法は、複数の広告情報を記憶し、広告媒体者のユーザ登録を受け付け、前記ユーザ登録の行われた広告媒体者の広告媒体者携帯端末装置に商品の広告情報を配信し、広告媒体者携帯端末装置と消費者携帯端末装置間で広告情報の送信を要求する機能または広告情報の送信機能を実現するプログラムを前記広告媒体者携帯端末装置または消費者携帯端末装置に配信する。
【００３３】
この発明によれば、例えば、広告媒体者携帯端末装置と消費者携帯端末装置間で広告情報の送信を要求する機能または広告情報の送信機能を実現するプログラムを広告媒体者携帯端末装置または消費者携帯端末装置にダウンロードすることができるので、それらの端末装置が広告情報の送信を要求する機能などを予め有する必要がない。また、プログラムが変更された場合でも、変更されたプログラムを広告媒体者携帯端末装置または消費者携帯端末装置にダウンロードすることで簡単に対応できる。
【００３４】
【発明の実施の形態】
以下、図面を参照しながら本発明の実施の形態を説明する。
最初に、本発明の１つの実施の形態の広告提供システムの概要を説明する。実施の形態の広告提供システムの目的の１つは、消費者が外出中に歩きながら、同じく通行中の消費者からその場で容易に広告を取得できるということである。消費者が広告を要求して所望の広告を入手するためには、まず消費者の周囲に広告を配信する広告媒体者が存在している必要がある。そのため、販売者が広告を提供し、ユーザとして消費者と広告媒体者が参加する共通の機構を設け、多数の販売者が多数の商品広告を登録し、多数のユーザがこの機構を利用して広告の配信と受信ができるシステムを実現する必要がある。
【００３５】
広告提供システムは、例えば、広告媒体者の登録、商品の広告情報の配信等を行う広告代理ＡＳＰ（application service provider）サーバ２１（図３参照）により実現される。
【００３６】
広告を提供する販売者はこのシステムを介して、広告の配信者（広告媒体者）に対して広告が有効に活用されたことを契機として、例えば、ポイントの形で報酬を与える。これにより多数の広告媒体者が広告提供システムに参加することが期待できるので、販売者は、商品を購入する可能性の高い消費者を対象に的確に低コストで広告を提供することが可能になる。
【００３７】
広告代理ＡＳＰサーバ２１は、販売者が発行したポイントの一部をリベートとして徴収することや広告代理ＡＳＰサーバのサイトへのバナー広告といった販売者が消費者に提供するのとは別の広告料などから利益を得ることが可能である。
【００３８】
利用する消費者にとっては、その人のほしい商品に関する情報を、無料で即時に入手できることと、広告を配信した広告媒体者にとっては広告を配布することにより報酬が得られるというメリットがある。
【００３９】
また広告代理ＡＳＰサーバ２１を通信事業者が実現する場合は、利用ユーザの通信料により大きな利益が期待できる。
上記のようなシステムを実現するために、ネットワーク上に広告提供システムの中心となる広告代理ＡＳＰサーバ２１を設ける。広告代理ＡＳＰサーバ２１には、広告提供システムに参加する消費者及び広告媒体者のユーザ登録とポイントの管理を行うユーザ管理サーバ２２と販売者が依頼した広告情報を管理する広告管理サーバ２３と広告する商品の商品情報を管理する販売管理サーバ２４、様々なログを取るロギングサーバ２５を設ける。
【００４０】
消費者が広告提供システムにユーザとして参加するには、消費者が直接ユーザ管理サーバ２２の登録サイトにアクセスして登録するか、販売店が来店した消費者の代行登録を行う。ユーザ管理サーバ２２は、登録を代行した販売店に対して代行登録したユーザ数に応じてリベートを与える。消費者の登録は初回のみで、手続きが完了した消費者は任意に広告の配信と受信を行うことができる。
【００４１】
以下、図面を参照しながら実施の形態の広告提供システムについて詳細に説明する。図３は、第１の実施の形態の広告提供システムの構成を示す図である。
広告代理ＡＳＰサーバ２１と、広告媒体者携帯端末装置２６と、消費者携帯端末装置２７と、販売者／メーカサーバ２９とは、インターネット等のネットワーク２８を介して接続されている。
【００４２】
広告代理ＡＳＰサーバ２１は、広告媒体者として登録したユーザに関する情報を管理するユーザ管理サーバ２２、販売者が登録した広告情報を管理する広告管理サーバ２３，販売した商品等の情報を管理する販売管理サーバ２３及び消費者及び広告媒体者のアクセスログを管理するロギングサーバ２４とを有する。なお、広告管理サーバ２３，販売管理サーバ２４、あるいはロギングサーバ２５は、広告代理ＡＳＰサーバ２１とは別に配置して、それらをＬＡＮ、その他のネットワーク２８で接続しても良い。さらに、それぞれのサーバは、複数のサーバから構成されても良い。
【００４３】
広告媒体者携帯端末装置２６は、例えば、Bluetooth等の無線通信機能を有する携帯電話、ＰＤＡ等の携帯型コンピュータなどであり、ネットワーク２８を介して広告代理ＡＳＰサーバ２１をアクセスする機能と、広告媒体者が身につけまたは所持している品物の広告情報、あるいはその広告情報が提供されているインターネットのウェブサイトのＵＲＬ等（広告指定情報）を消費者の携帯端末装置２７に無線で送信する機能を有している。
【００４４】
消費者携帯端末装置２７も同様に携帯電話、携帯型コンピュータであり、ネットワーク２８を介して広告代理ＡＳＰサーバ２１をアクセスする機能と、広告媒体者端末装置２６に対して広告情報の送信を無線により要求する機能とを有する。なお、一定の無線エリア内にいる消費者携帯端末装置２７と広告媒体者携帯端末装置２６とは直接無線により通信することができる。
【００４５】
販売店／メーカサーバ２９は、広告情報等をネットワーク２８を介して広告代理ＡＳＰサーバ２１に登録する機能等を有している。
次に、図４は、広告媒体者携帯端末装置２６または消費者携帯端末装置２７として用いられる携帯端末装置の構成を示す図である。
【００４６】
入力部３１は、電話番号、商品コード、文字等を入力する入力部である。商品コードを入力する方法としては、バーコードスキャナーを付加して商品のバーコードを読み取る方法、商品に商品コードが記録されたＩＣチップ（ＲＦＩＤなど）を添付してそのＩＣチップに記憶された商品コードを非接触で読み取る機能を設ける方法、商品コードをユーザが入力する方法等がある。通信制御部３２は、携帯電話機能、Bluetooth等による無線信号の送受信機能を有する。
【００４７】
広告集信部３３及び広告配信部３４は、本装置が、広告媒体者携帯端末装置２６として使用される場合に必要な機能である。広告集信部３３は、広告代理ＡＳＰサーバ２１から広告データをダウンロードするためのものである。広告配信部３４は、広告集信部３３によりダウンロードされ、装置内部の記憶装置３５に記憶された配信用広告データ（広告情報）を消費者携帯端末装置２７に無線信号により送信する。
【００４８】
発注部３６及び広告受信部３７は、本装置が消費者携帯端末装置２７として使用される場合に必要な機能である。発注部３６は、広告媒体者携帯端末装置２６に対して広告データの配信を要求する。広告受信部３７は、広告媒体者携帯端末装置２６から無線により送信されてくる広告データを受信する。
【００４９】
記憶装置３５には、広告代理ＡＳＰサーバ２１から受信した配信用広告データ、広告媒体者携帯端末装置２６から受信した受信広告データ、発注履歴情報等が記憶される。
【００５０】
データ管理部３８は、広告集信部３３，広告配信部３４，発注部３６及び広告受信部３７等で受信された広告データ、あるいは配信すべき広告データの記憶装置３５への格納、あるいは読み出し等の制御を行う。
【００５１】
上記の広告集信部３３，広告配信部３４，発注部３６，広告受信部３７及びデータ管理部３８からなるブロック（図４に点線で示す部分）は、例えば、広告配信・受信プログラムにより実現される。この広告配信・受信プログラムは、携帯端末装置に予めインストールしておいても良いし、ユーザ登録する際に、ユーザが広告代理ＡＳＰサーバ２１からダウンロードしても良い。
【００５２】
以下、携帯端末装置のユーザが広告代理ＡＳＰサーバ２１にユーザ登録をする場合について説明する。
図５は、ユーザ情報を管理する広告代理ＡＳＰサーバ２１のユーザ管理サーバ２２の構成を示す図である。
【００５３】
登録管理部４１は、ユーザからの登録申請を受け付け、ユーザ登録を行ったユーザに対してユーザＩＤを付与し、データ管理部４３に対してユーザ配布プログラムの配布を指示する。
【００５４】
モジュール配布部４２は、ユーザ登録完了時にデータ管理部４３の依頼を受けて通信制御部４４に指示してユーザに広告配信・受信プログラムの配布を行う。ポイント管理部４５は、他の管理サーバからの獲得ポイントの通知を受け、該当する広告媒体者の蓄積ポイントの管理、広告報酬の算定、支払いの指示等を行う。履歴管理部４６は、ポイント管理部４５の下位に位置し、ユーザ登録により広告媒体者に付与される広告媒体者ＩＤと、商品コード、ポイントの発行通知等からポイントの獲得履歴を管理する。
【００５５】
データ管理部４３は、登録管理部４１，モジュール配布部４２及びポイント管理部４５等で扱うデータの管理を行う。
記憶装置４７は、登録されたユーザのユーザ個人情報４０、ユーザに配布するプログラム、ユーザ毎の獲得ポイント、ユーザ毎のポイント獲得履歴等を記憶する。
【００５６】
ポイント管理部４５は、広告管理サーバ２３から消費者が広告媒体者から得た広告情報に従って初回アクセスしたとき、販売管理サーバ２４から消費者が広告媒体者から得た広告データに従って商品を購入し決済が終了したとき、ロギングサーバ２５から広告媒体者から得た広告データを持った消費者が広告管理サーバ２３にアクセスする前に販売店に来店したとき、広告媒体者のユーザＩＤとそれぞれの条件で付与されるポイント数を通知される。ポイント管理部４５は、広告媒体者ごとにポイント数を累計していき、一定のポイント数に達したときに、広告媒体者に対してメール等の方法で通知し、予め登録してある口座等に広告報酬を振り込む。
【００５７】
図６は、ユーザ管理サーバ２２で管理するユーザ個人情報４０のデータ構成を示す図である。
同図に示すように、ユーザ個人情報４０は、登録したユーザに付与されるユーザＩＤと、そのユーザの獲得したポイントの累計を示す蓄積ポイントと、ユーザ名と、年齢、性別、住所、Ｅメールアドレス、電話番号、銀行の口座番号等のデータからなる。
【００５８】
次に、図７は、広告管理サーバ２３の構成を示す図である。広告管理部５１は、販売者から広告依頼を受けた広告の登録・管理を行うとともに、消費者からの要求に従って広告データを提供する。
【００５９】
データ集配信部５２は、販売者からの広告データの集信及び消費者への広告データの配信を行う。
通信制御部５３は、ネット２８を介して販売者／メーカのサーバ２９、消費者携帯端末装置２７及び広告媒体者携帯端末装置２６との間でデータの送受信を行う。
【００６０】
データ管理部５４は、広告管理部５１の管理する広告データ、あるいは広告データを管理するための広告管理情報の記憶装置５５への書き込み及び読み出し等を制御する。
【００６１】
図８は、広告管理サーバ２３が管理する広告管理情報５０のデータ構成を示す図である。
広告管理情報５０は、図８に示すように、商品コードと、広告データを指す情報、その広告データの登録日、広告期限、広告データの配布先のユーザＩＤ（広告媒体者のユーザＩＤ）から構成されている。広告データが、販売者またはメーカのウェブサイトに登録されている場合には、広告管理情報５０の広告データを指す情報としてそのウェブサイトのＵＲＬが記録される。
【００６２】
図９は、販売管理サーバ２４の構成を示す図である。販売管理部６１は、商品コード、商品名、商品のポイント、商品情報、在庫等の商品に関する情報の管理を行う。また、販売店から消費者が商品を購入した契機となったもの、つまり特定の広告媒体者の広告を見て商品を購入した場合には、ユーザ管理サーバ２２のポイント管理部４５に商品に設定されているポイントを広告媒体者の獲得したポイントとして通知する。
【００６３】
データ集配信部６２は、商品管理情報の集信と配信の制御を行う。つまり商品コード、商品名、価格等のデータを販売者、あるいはメーカから取得し、あるいは商品管理情報を他のサーバに配信する。
【００６４】
受注部６３は、電子商取引により消費者からの注文を受け付ける。通信制御部６４は、ネットワーク２８を介して販売者／メーカのサーバ２９との間で商品情報の送受信を行う。
【００６５】
データ管理部６５は、販売管理部６１，受注部６３等の扱うデータを管理する。データ管理部６５は、販売管理部６１で作成される商品管理情報、あるいは受注部６３での注文情報を記憶装置６６に格納する。
【００６６】
図１０は、販売管理サーバ２４が管理する商品管理情報６０の構成を示す図である。
商品管理情報６０は、図１０に示すように、商品コードと、商品名と、購入の契機となった広告媒体者に与えられるポイント数と、価格と、商品情報とから構成される。商品情報には、商品情報テーブル６０ａを指す情報が記憶され、商品情報テーブル６０ａには、商品の色、サイズ、在庫数量等が記憶される。
【００６７】
次に、図１１は、ロギングサーバ２５の構成を示す図である。ログデータ集信部７１は、他のサーバからのアクセスログのログデータを収集する。通信制御部７２は、ネットワーク２８を介してログデータの送受信を行う。データ管理部７３は、ユーザ別のログデータの管理を行う。記憶装置７４は、データ管理部７３の管理のもとにログデータを記憶する。
【００６８】
ロギングサーバ２５は、広告の配信者を識別するため、以下のタイミングでロギングを行う。広告配信の単位はアイテムごとであるが、複数アイテムの広告を広告媒体者から一度に受信した場合、同じ広告媒体者から同時にきた複数の広告を１つにまとめてログにとる。
【００６９】
例えば、消費者携帯端末装置２７の広告配信・受信プログラムが、消費者が受信広告リストのメニューを表示させたときにその内容を広告代理ＡＳＰサーバ２１のロギングサーバ２５に送信しロギングする。これは広告媒体者の身につけまたは所持している商品を消費者が最初に認識をしたことの記録になる。
【００７０】
受信広告をセレクトした時点で広告配信・受信プログラムが、その内容を広告代理ＡＳＰサーバ２１のロギングサーバ２５に送信しロギングする。消費者が広告をみたということだけで広告媒体者にポイント付与する場合には、ロギングサーバ２５でこの時点のログを採取してユーザ管理サーバ２２のポイント管理部４５に通知してポイントを付与する。この場合はこの時点のポイント数を低ポイントに押さえ、さらに来店ポイントや商品購入ポイントを付加していくようにする。
【００７１】
次に、以上のような構成の広告提供システムの動作を説明する。最初に、販売者が広告代理ＡＳＰサーバ２１に対して商品の広告依頼を行う場合について説明する。
【００７２】
図１２は、販売者がそれぞれのサーバから広告代理ＡＳＰサーバ２１に広告データを配信し、その広告データが広告代理ＡＳＰサーバ２１の広告管理サーバ２３に格納される場合の説明図である。この場合、販売者のサーバ２９から広告代理ＡＳＰサーバ２１に広告データを送信し、その広告データが広告代理ＡＳＰサーバ２１の広告管理サーバ２３に格納される。
【００７３】
図１３は、広告代理ＡＳＰサーバ２１が管理する広告管理サーバ２３とは別に設けられた外部広告管理サーバ８１に広告データを格納した場合を示している。この場合、例えば、販売者は広告データを自身が管理する外部広告管理サーバ８１に格納し、広告代理ＡＳＰサーバ２１に広告依頼を行い、広告データが格納されているウェブサイトのＵＲＬを配信する。広告代理ＡＳＰサーバ２１の広告管理サーバ２３は、広告管理情報５０の広告データとして外部広告管理サーバのウェブサイトのＵＲＬを記録する。
【００７４】
次に、消費者が広告代理ＡＳＰサーバ２１にユーザ登録する場合について、図１４の説明図と図１５のフローチャートを参照して説明する。
図１４は、広告代理ＡＳＰサーバ２１にユーザ登録する場合の手順を示す図であり、図１５は、そのときのユーザ管理サーバ２２におけるユーザ登録処理のフローチャートである。
【００７５】
最初に、消費者Ａが携帯端末装置８２から広告代理ＡＳＰサーバ２１に対してユーザ登録の申請を行う。
ユーザ管理サーバ２２は、ユーザ登録申請の入力を受け付けると（図１５，Ｓ１１）、そのユーザが新規のユーザか否かを判別する（Ｓ１２）。
【００７６】
新規のユーザのときには、ユーザが入力したデータをチェックして（Ｓ１３）、ユーザの入力データが正常か否か、つまりユーザ登録に必要な個人情報が全て入力されたか否かを判別する（Ｓ１４）。個人情報が正常に入力された場合には（Ｓ１４，ＹＥＳ）、ユーザＩＤを割り当てる（Ｓ１５）。さらに、入力された個人情報をユーザＩＤと対応づけてユーザ個人情報４０として登録する（Ｓ１６）。ユーザ登録が完了したなら、ユーザＩＤと広告配信・受信プログラムをユーザに配布する（Ｓ１７）。
【００７７】
ステップＳ１４で入力データが正常ではないと判別されたときには（Ｓ１４，ＮＯ）、ステップＳ１８に進み登録に失敗したことをユーザに通知する。
上記のユーザ登録手順を、図１４の説明図を参照して説明すると、消費者Ａが自分の携帯端末装置８２から広告代理ＡＳＰサーバ２１に対してユーザ登録の申請を行う（図１４のＡ−１）。個人情報が入力され、ユーザ登録が正常に終了したなら、ユーザＩＤが付与され、広告情報の配信・受信プログラムが、ユーザの携帯端末装置８２にダウンロードされる（図１４，Ａ−２）。
【００７８】
ユーザ登録は、広告代理ＡＳＰサーバ２１に対して消費者が直接行う方法ばかりではなく、例えば、販売店がユーザ登録の登録代行店８４の役割を持ち、消費者が販売店等においてユーザ登録を行えるようにしても良い。
【００７９】
この場合、図１４において、登録代行店８４において消費者Ｂが携帯端末装置８３を利用して無線信号等により登録代行店８４の計算機８５に対してユーザ登録の申請の手続きを行う（図１４，Ｂ−１）。消費者Ｂの個人情報を受け付けた計算機８５は、その個人情報を広告代理ＡＳＰサーバ２１に送信してユーザ登録の代行を行う（図１４，Ｂ−２）。
【００８０】
ユーザ登録が完了すると、広告代理ＡＳＰサーバ２１から計算機８５にユーザＩＤ、広告配信・受信プログラムがダウンロードされる（図１４，Ｂ−３）。計算機８５は、そのユーザＩＤと広告配信・受信プログラムを携帯端末装置８３に送信してインストールさせる（図１４，Ｂ−４）。
【００８１】
以上の処理により、広告代理ＡＳＰサーバ２１に対する消費者のユーザ登録手続きが完了する。
次に、消費者が商品を購入したときに、その商品の広告データを取得する手順を、図１６の説明図と図１７及び図１８のフローチャートを参照して説明する。
【００８２】
図１６において、販売者から商品を購入した消費者は（図１６、▲１▼）、広告代理ＡＳＰサーバ２１に対して、購入した商品Ａの商品コードを入力して商品Ａの配信用広告データの送信を要求する（図１６、▲２▼）。
【００８３】
広告代理ＡＳＰサーバ２１の広告管理サーバ２３は、該当する商品の広告データが表示されるウェブサイトのＵＲＬを含む広告データを消費者Ａの携帯端末装置に配信する（図１６，▲３▼）。ＵＲＬ以外の広告データとしては、例えば、商品の種別、色等を配信する。
【００８４】
このときの広告媒体者（商品を購入した消費者）の携帯端末装置２６における広告データを取得する処理と広告管理サーバ２３における配信処理の内容を、図１７及び図１８を参照して説明する。
【００８５】
購入した商品の広告データを入手したい消費者は、携帯端末装置２６の入力部から商品コードを入力する（図１７，Ｓ２１）。次に、その商品コード付加して配信用広告データの送信要求を、広告代理ＡＳＰサーバ２１の広告管理サーバ２３に対して行う（図１７，Ｓ２２）。
【００８６】
広告管理サーバ２３は、広告媒体者からの配信用広告データの送信要求を受信すると（図１８，Ｓ３１）、ユーザ管理サーバ２２の登録管理部４１に配信用広告データの送信を要求してきた人がユーザ登録されているか否かを問い合わせる（図１８，Ｓ３２）。そして、配信を希望するユーザのユーザＩＤがユーザ管理サーバ２２に登録されているユーザＩＤと一致するか否かを判別する（図１８，Ｓ３３）。ユーザＩＤが一致し登録ユーザであった場合には（Ｓ３３，ＹＥＳ）、指定された商品コードの広告データが広告管理サーバ２３の記憶装置５５に格納されているか否かを調べる（図１８，Ｓ３４）。指定された商品の広告データが存在する場合には（Ｓ３４，ＹＥＳ）、その広告データを送信要求を行った広告媒体者（商品を購入した消費者）に送信する（図１８，Ｓ３５）。
【００８７】
広告媒体者の携帯端末装置２６は、広告管理サーバ２３から応答データを受信したなら（図１７，Ｓ２３）、応答データの中に広告データが存在するか否かを判別する（図１７，Ｓ２４）。広告データが存在する場合には（Ｓ２４，ＹＥＳ）、取得した広告データを広告管理表に格納する。
【００８８】
図１９は、配信用広告データの送信要求に対して広告管理サーバ２３から送信される応答データの一例を示す図であり、図２０は、広告媒体者携帯端末装置２６の広告管理表の一例を示す図である。
【００８９】
広告管理サーバ２３は、広告媒体者携帯端末装置２６から広告データの送信要求を受信すると、指定された商品の広告データが存在する場合には、図１９（Ａ）に示すような応答データを作成して送信する。
【００９０】
この場合の応答データは、広告データの有無を示すエラーフラグと（広告データが存在するとき「０」が、存在しないとき「１」が設定される）、広告データの提供されているウェブサイトのＵＲＬと、広告内容を示す広告情報（例えば、赤のタートルネットセータの画像）とから構成される。広告データが存在しない場合には、図１９（Ｂ）に示すように上記のエラーフラグとして「１」が設定され、広告データが何も付加されていない応答データが送信される。
【００９１】
図２０は、広告媒体者携帯端末装置２６において作成される広告管理表９１の一例を示す図である。
広告管理表９１には、商品コードと、商品種別と、配信要求があったときの広告データの配信の可否を指定する配信フラグと、広告データが登録された日時と、配信期限と、広告データの存在するウェブサイトのＵＲＬとが設定される。
【００９２】
なお。上記の広告管理表９１で、配信期限が設定されている場合には、その配信可能期限をすぎたとき、配信フラグが不可に設定されて広告データが配信されないようになる。あるいは、当日だけ配信する時限広告データを、広告媒体者携帯端末装置２６にダウンロードした場合、広告データに一定時間で自動的に削除される機能を付加しておくことにより、広告媒体者が広告の削除を意識しなくとも自動的に削除できるようになる。
【００９３】
消費者携帯端末装置２７から広告データの配信要求を受信したとき、広告媒体者携帯端末装置２６は、上記の広告管理表９１の配信フラグが「配信可」となっている広告データを無線信号に変換して送信する。
【００９４】
図２１は、広告媒体者が身につけている商品の広告データではなく、広告媒体者のローカルな宣伝を配信する場合の広告管理表を示している。
図２１の例は、配信者のホームページのＵＲＬと、配信者の宣伝したいライブに関する情報が提供されるＵＲＬとが登録されており、広告媒体者携帯端末２６が広告データの配信要求を受信したときに、広告データと一緒に、これらの個人的に宣伝したい情報も送信することで、それらの情報を任意に配信することができる。
【００９５】
次に、図２２は、広告媒体者携帯端末装置２６における広告データ更新処理のフローチャートである。
広告管理サーバ２３において、広告が新しく更新された場合、広告管理部５１は、更新された広告データを登録している広告媒体者をユーザ管理サーバ２２に問い合わせ、該当する広告媒体者に広告データの更新を知らせるようにしている。以下、広告媒体者携帯端末装置２６における広告データ更新処理について説明する。
【００９６】
広告管理サーバ２３から広告データ更新通知を受信したなら（図２２，Ｓ４１）、広告媒体者携帯端末装置２６は広告管理サーバ２３に対して広告データの配信を要求する（Ｓ４２）。そして、広告管理サーバ２３から広告データを受信したなら（Ｓ４３）、広告管理表９１から該当する広告データを検索し（Ｓ４４）、該当する広告データを更新する（Ｓ４５）。
【００９７】
次に、消費者が街の中で他の人が身につけている洋服、あるいは所持しているバッグ、雑貨等を見てそれらの商品の広告を閲覧する際の手順を、図２３を参照して説明する。
【００９８】
広告媒体者携帯端末装置２６には、予め広告代理ＡＳＰサーバ２１から広告媒体者の所有している商品の広告ＵＲＬが配布されている（図２３，▲１▼）。
消費者が消費者携帯端末装置２７から広告を知りたい商品のキーワード等を入力して広告データの配信要求を無線信号により送信すると、無線信号の受信エリア内にいる広告媒体者が、広告媒体者携帯端末装置２６に登録してある広告データのうち、送信されてきたキーワードに合致する広告を無線信号により配信する（図２３，▲２▼）。消費者は、広告媒体者から送信されてくる広告データの商品の内容を示す情報等を参考して目的とする商品の広告ＵＲＬを選択し、そのＵＲＬにより広告を閲覧する（図２３，▲３▼）。
【００９９】
このときの消費者携帯端末装置２７における広告データの送信要求処理と広告媒体者携帯端末装置２６における広告データの配信処理を、図２４と図２５のフローチャートを参照して説明する。
【０１００】
消費者は、街のなかで他人が身につけている物で興味を引かれるものがあったなら、その商品の種類、色などをキーワードとして消費者携帯端末装置２７に入力する（図２４，Ｓ５１）。さらに、広告データの送信要求を無線信号により送信する（図２４，Ｓ５２）。
【０１０１】
広告媒体者携帯端末装置２６は、消費者携帯端末装置２７からの広告データの送信要求を受信すると（図２５，Ｓ６１）、広告管理表９１から配信可能な広告を検索する（図２５，Ｓ６２）。さらに、検索した広告データを無線信号により消費者携帯端末装置２７に配信する（図２５，Ｓ６３）。
【０１０２】
消費者携帯端末装置２７は、広告媒体者携帯端末装置２６から無線により送信されてくる広告データを受信する（図２４，Ｓ５４）。複数の広告媒体者携帯端末装置２６からのデータが送信されてくる場合には、所定の時間、データが送信されてこないかどうか確認し、送信されてこなければ、全てのデータを受信したと判断する（図２４，Ｓ５４）。広告媒体者携帯端末装置２６からのデータの受信が完了した場合には（Ｓ５４，ＹＥＳ）、受信データに広告データが含まれているか否かを判別する（図２４，Ｓ５５）。受信データに広告データが含まれている場合には（Ｓ５５，ＹＥＳ）、広告データのＵＲＬで指定されるウェブサイトをアクセスして所望の広告を見つける（図２４，Ｓ５６）。消費者は、自分が興味を持った商品の広告があるか否かを判断する（Ｓ５７）。所望の広告があったなら（Ｓ５７，ＹＥＳ）、その広告データ（この場合、商品の情報）を消費者携帯端末装置２７の記憶装置３５にダウンロードする（図２４，Ｓ５８）。
【０１０３】
以上の処理により、消費者は、街の中で他人が身につけている商品、あるいは所持している商品の広告データを、自分が持っている携帯電話等の消費者携帯端末装置２７を利用して簡単に入手することができる。
【０１０４】
次に、図２６は、広告媒体者のユーザＩＤと消費者の指定した検索条件とに基づいて広告データを検索して消費者に送信する場合の説明図である。
この場合も、消費者が広告ＵＲＬ（広告データが提供されているウェブサイトのＵＲＬ）を広告媒体者携帯端末装置２６から入手するまでの手順は、図２３に示した場合と同一であるのでその部分の説明は省略する。
【０１０５】
消費者は、広告ＵＲＬと広告媒体者のユーザＩＤを広告媒体者携帯端末装置２６から無線信号により受信したなら（図２６，▲２▼）、取得した広告媒体者のユーザＩＤをロギングサーバ２５に通知する（図２６，▲３▼）。さらに、検索条件、例えば、商品の種類、色等を指定する（図２６，▲４▼）。
【０１０６】
ロギングサーバ２５は、消費者携帯端末装置２７から通知された広告媒体者のユーザＩＤを検索キーとして指定し、ユーザ個人情報の検索をユーザ管理サーバ２１に依頼する（図２６，▲５▼）。そして、該当するユーザＩＤと対応づけて登録されている商品コードを取得したなら、その商品コードを有し、かつ指定された検索条件を満たす商品の広告データの検索を広告管理サーバ２３に依頼する（図２６，▲６▼）。ロギングサーバ２５は、広告管理サーバ２３で検索された広告ＵＲＬを消費者に通知する（図２６，▲７▼）。
【０１０７】
消費者はその広告ＵＲＬによりウェブサイトをアクセスして所望の商品の広告データを閲覧することができる。
以上の処理により、消費者の広告配信要求に応答して広告データを配信した広告媒体者のユーザＩＤと、消費者が指定した商品の種類、色等の検索条件から消費者の知りたい商品の広告を広告代理ＡＳＰサーバ２１から閲覧することができる。
【０１０８】
次に、図２７は、消費者のプロファイルに基づいて最適な広告データを消費者に送信する場合の説明図である。
広告媒体者携帯端末装置２６から広告データの存在するウェブサイトを示す広告ＵＲＬを受信したなら（図２７，▲２▼）、消費者携帯端末装置２７は、広告媒体者から送信されてくる広告ＵＲＬと、商品コード、広告媒体者のユーザＩＤ及び消費者のユーザＩＤからなるユーザパラメータを外部広告管理サーバ８１に送信して広告の閲覧を要求する（図２７，▲３▼）。
【０１０９】
外部広告管理サーバ８１は、受信した消費者ＩＤを広告代理ＡＳＰサーバ２１のユーザ管理サーバ２２に送信するとともに、該当する消費者のプロファイルを要求する（図２７，▲４▼）。
【０１１０】
ユーザ管理サーバ２２は、外部広告管理サーバ８１から通知された消費者ＩＤでユーザ個人情報４０を検索し、該当するユーザの年齢、性別等のプロファイル取得する。このプロファイルは、外部広告管理サーバ８１に送信され、外部広告管理サーバ８１が消費者のプロファイルを取得する（図２７，▲５▼）。
【０１１１】
外部広告管理サーバ８１は、取得したプロファイルとユーザパラメータの商品コードをキーにして消費者から閲覧要求のあった商品の広告データを検索し、それらの中で消費者プロファイルに合致する広告データを選別し、１または複数の広告データを消費者携帯端末装置２７に送信する（図２７，▲６▼）。
【０１１２】
以上のことから、消費者が広告データの送信を要求したときに、消費者の周りに広告媒体者が多数存在する場合でも、消費者のプロファイルに合った消費者が最も希望するであろう商品の広告データを消費者に提供することができる。
【０１１３】
次に、上述した広告媒体者のユーザＩＤと消費者が指定する検索条件に基づいて広告データを検索する処理を、図２８のフローチャートを参照して説明する。消費者携帯端末装置２７は、広告データの送信を要求し、広告媒体者から広告媒体者のユーザＩＤと広告データを取得する（図２８，Ｓ７１）。
【０１１４】
ロギングサーバ２５は、広告媒体者のユーザＩＤと消費者の指定した広告条件（商品の種類、色などの検索条件）を消費者携帯端末装置２７から受信し（Ｓ７２）、指定された広告条件で広告媒体者のユーザＩＤに対応するユーザプロファイル（ユーザ個人情報）に登録されている広告データを検索する（Ｓ７３）。そして、指定された広告条件と一致する広告データが、指定された広告媒体者の配信用広告データとして登録されているか否かを判別する（Ｓ７４）。
【０１１５】
消費者により指定された広告条件と一致する広告データが登録されている場合には（Ｓ７４，ＹＥＳ）、該当する広告媒体者とその広告データをロギングする（Ｓ７５）。
【０１１６】
以上の処理により、消費者の指定した条件に合致する広告データを配信した広告媒体者を特定し、その広告媒体者のユーザＩＤとその広告媒体者から広告データを受信した消費者のユーザＩＤをロギングサーバ２５に記録することができる。
【０１１７】
次に、広告代理ＡＳＰサーバ２１内の広告管理サーバ２３または外部広告管理サーバ８１が消費者のプロファイルに合った広告データを消費者に送信する処理を、図２９のフローチャート参照して説明する。
【０１１８】
消費者携帯端末装置２７から広告閲覧要求を受信する（図２９，Ｓ８１）。広告閲覧要求の送信データとしては、広告媒体者から送信された広告ＵＲＬ、商品コード、広告媒体者のユーザＩＤ、消費者のユーザＩＤ等からなるユーザパラメータが送信される。受信した商品コードから消費者の要求した広告データを検索する（Ｓ８２）。そして、消費者の要求した商品コードに対応した広告データが広告管理サーバ２３の記憶装置５５に登録されているか否かを判別する（Ｓ８３）。広告データが登録されている場合には（Ｓ８３．ＹＥＳ）、送信用広告データとして消費者の要求した広告データを設定する（Ｓ８４）。
【０１１９】
ステップＳ８４の次には、またはステップＳ８３で消費者の要求した商品コードに対応する広告データが存在しないと判断された場合には（Ｓ８３，ＮＯ）、ユーザ管理サーバ２２の登録管理部４１に消費者のユーザＩＤを通知して消費者のプロファイル（年齢、性別等）を要求する（Ｓ８５）。
【０１２０】
図３０（Ａ）は、ユーザ管理サーバ２２により管理されるユーザプロファイルの一例を示す図である。消費者のユーザＩＤが指定されると、ユーザ管理サーバ２２は、そのユーザＩＤでユーザ個人情報４０を検索し、該当する消費者の年齢、性別等の情報を取得し、その消費者プロファイルを広告管理サーバ２３に送信する。
【０１２１】
広告管理サーバ２３は、ユーザ管理サーバ２２から消費者プロファイルを受信したなら（Ｓ８６）、受信した消費者のプロファイルと商品コードで指定される商品種別を基に該当する広告データを検索する（Ｓ８７）。すなわち、消費者が興味を持った商品と同じ商品種別で、消費者のプロファイルに適合するような商品の広告を検索する。
【０１２２】
上記の検索により消費者のプロファイルと類似したプロファイルを有する広告媒体者で、同じ商品種別の広告データが存在するか否かを判別する（Ｓ８８）。消費者のプロファイルに適合した広告データが存在する場合には（Ｓ８８，ＹＥＳ）、送信用広告データとして検索により得られた広告データを追加する（Ｓ８９）。そして、その送信用広告データを閲覧要求のあった消費者に送信する（Ｓ９０）。
【０１２３】
図３０（Ｂ）、（Ｃ）は、消費者により広告の検索条件として商品種別「靴」が指定された場合に、複数の広告媒体者のユーザＩＤと消費者のユーザＩＤと指定された商品種別「靴」を検索条件として広告データの検索が行われることを示している。
【０１２４】
また、図３０（Ｄ）は、商品種別「靴」と、その色「茶色」と、価格「５０００〜１５，００円」が指定されたときの検索条件を示している。
上記の処理により、広告媒体者から取得した情報（例えば、商品コードとユーザＩＤ）と、消費者のプロファイルとに合った商品の広告データを消費者は取得することができる。この場合、広告媒体者から取得した商品コードの商品の在庫が無い場合でも、消費者が興味を持った商品と同じ商品種別で、消費者のプロファイルに適合する他の商品の広告データを消費者に送信することができるので、消費者にとっては、少ない検索操作で自分が望む商品情報を入手することができる。
【０１２５】
図３１は、消費者携帯端末装置２７において、検索条件を入力するメニュー画面を示す図である。
最初に、広告要求ボタンと広告条件指定ボタン１０１が表示される（図３１，（ａ））。広告条件指定ボタン１０１を操作すると、商品種別、色、価格、プロファイル（図３８及び３９で後述する広告媒体者のプロファイル）の選択メニューが表示される（図３１，（ｂ））。その選択メニューの中の１つを選択すると、次の選択メニューに切り替わる。
【０１２６】
例えば、商品種別を選択すると、その詳細として「トップス」、「ボトムス」、「その他」、「商品種別キー入力」とが表示される（図３１，（ｃ））。この状態で「トップス」を選択すると、「ジャケット」、「シャツ」、「ニット」、「コート」等の選択メニューが表示される（図３１，（ｄ））。
【０１２７】
消費者は、消費者携帯端末装置２７の表示部３９に表示される上記のメニューを順次選択することで検索条件を簡単に入力することができる。
次に、広告媒体者が提供した商品の情報により消費者が広告を閲覧したとき、あるいは商品を購入したときに、広告媒体者にポイントを付与する処理について説明する。
【０１２８】
図３２は、消費者が広告を閲覧したときに広告媒体者にポイントを付与する場合の説明図である。
消費者Ｃが、商品Ａを身につけている人を見かけて消費者携帯端末装置２７から広告配信要求を無線により送信すると、一定の無線受信エリア内にいる広告媒体者がそれぞれ広告データを無線信号により送信する。
【０１２９】
例えば、消費者Ｃが広告媒体者Ｂから送信されてきた広告ＵＲＬを利用して広告代理ＡＳＰサーバ２１の広告管理サーバ２３をアクセスして広告を閲覧すると（図３２，▲１▼）、販売管理サーバ２４を利用して商品を購入すると、あるいは販売店の販売管理クライアント１０２を利用して商品を購入すると（図３２，▲１▼’）、広告を閲覧したという情報が広告管理サーバ２３から販売管理サー２４に送信され、商品を購入したという情報が販売管理サーバ２４、あるいは販売管理クライアント１０２から販売管理サーバ２４へ送信される。そして、消費者が広告を閲覧する契機となった（または、商品の購入の動機となった）広告データを配信した広告媒体者Ｂにポイントを付与するために、それぞれの獲得ポイントがユーザ管理サーバ２２のポイント管理部４５に通知される（図３２，▲２▼）。
【０１３０】
ユーザ管理サーバ２２は、広告媒体者Ｂの蓄積ポイントに獲得ポイントを加算すると共に、広告ポイントを付与したことを該当する広告媒体者Ｂの広告媒体者携帯端末装置２６に通知する（図３２，▲３▼）。
【０１３１】
図３３は、広告媒体者が配信した広告データを受信した消費者が来店したときに、広告媒体者にポイントを付与する場合の説明図である。
この場合も、図３２と基本的には同じである。商品Ａを見て広告データを広告媒体者から入手した消費者Ｃが販売店に来店すると（図３３，▲１▼）、販売管理クライアント１０２が、消費者Ｃから広告媒体者のユーザＩＤを含む広告パラメータを取得し、そのパラメータをロギングサーバ２５に送信する（図３３，▲２▼）。ロギングサーバ２５は、広告媒体者Ｂが獲得すべき来店ポイントをポイント管理部４５に通知し（図３３，▲３▼）、ポイント管理部４５は、該当する広告媒体者の蓄積ポイントにその来店ポイントを加算する。さらに、来店ポイントを付与したことを広告媒体者Ｂに通知する（図３３，▲４▼）。
【０１３２】
図３４は、上述したポイント管理部４５における広告媒体者に対するポイント付与処理のフローチャートである。
ユーザ管理サーバ２２のポイント管理部４５は、販売管理サーバ２４から広告媒体者のポイント加算依頼を受信したなら（図３４，Ｓ１０１）、広告媒体者のユーザＩＤによりユーザ個人情報４０を検索する（Ｓ１０２）。ユーザ個人情報４０に該当するユーザＩＤがユーザ個人情報４０に登録されているか否かを判別する（Ｓ１０３）。
【０１３３】
指定された広告媒体者のユーザＩＤが登録されている場合には（Ｓ１０３，ＹＥＳ）、その広告媒体者の蓄積ポイントに今回獲得したポイントを加算する（Ｓ１０４）。そして、ユーザ個人情報４０に記憶されている蓄積ポイントが所定の報酬支払いポイント数以上となったか否かを判別する（Ｓ１０５）。
【０１３４】
蓄積ポイントが報酬支払いポイント以上となっているときには（Ｓ１０５，ＹＥＳ）、該当する広告媒体者の口座に広告報酬の支払いを行う（Ｓ１０６）。蓄積ポイントが報酬支払いポイントに達していないときには（Ｓ１０５，ＮＯ）、そこで処理を終了する。
【０１３５】
上述した実施の形態によれば、以下に述べる種々のケースで広告媒体者の広告効果に応じて広告報酬を得ることができる。従って、商品を購入した消費者から見れば広告媒体者として積極的に広告を行う動機づけとなり、商品の提供者、販売者側から見れば、広告媒体者が増えることで、よりおおきな広告効果が期待できる。
【０１３６】
（１）消費者が広告媒体者から受信した広告データを元に商品情報を閲覧するために広告管理サーバに初回アクセスしたとき広告媒体者に広告閲覧ポイントを与える。
【０１３７】
（２）消費者が、広告媒体者から受信した広告情報を元に商品情報を閲覧し何らかの商品を購入した場合に、販売管理サーバ２４が広告媒体者に購入ポイントを与える。
【０１３８】
（３）消費者が広告媒体者から受信した広告を元に販売店に来店したときに、販売店で消費者が広告媒体者の提供した広告を見て来店したか否かを確認し、広告媒体者の広告を見て来店した場合には、広告媒体者のユーザＩＤ等からなるユーザパラメータを取得し、広告媒体者のＩＤを広告代理ＡＳＰサーバ２１のロギングサーバ２５に送信することで、広告媒体者に来店ポイントを与える。
【０１３９】
上記（１）については、広告代理ＡＳＰサーバ２１の外部で電子商取引を行う場合には、メーカー系の広告は一般的な広告になるので、特定の販売店の広告と違い広告内容は購入できるＥＣ（電子商取引）サイトの紹介や購入方法、関連商品の紹介などを提示する内容になる。こういった内容の広告ではメーカーと販売店の関連づけが難しく販売ポイントを付与することは難しいので、メーカー系広告のポイントは広告の閲覧ポイントのみとする。
【０１４０】
上記の（２）については、広告代理ＡＳＰサーバ２１内部で商品販売を行う場合には、販売管理サーバ２４は消費者、広告媒体者双方の特定とプロファイルの管理を行うことができる。従って、消費者が広告媒体者から受信した広告情報を元に販売管理サーバ２４をアクセスしたときに、ユーザパラメタを記録しておき、広告データに該当する商品や関連する商品を購入したとき、消費者に購入ポイントを与える。
【０１４１】
なお、ユーザ管理サーバ２２は、消費者が広告媒体者の配信した広告情報に基づいて商品情報を閲覧したポイント、または商品を購入したポイント、来店ポイントの通知を各管理サーバより受け、広告媒体者の獲得ポイントを加算し、獲得ポイントの累計を管理する。そして、ポイント数がある一定値に達した場合に広告媒体者に広告報酬を支払う。
【０１４２】
図３５は、上述した消費者のプロファイルに基づいて広告データを提供し、広告媒体者に閲覧ポイントを付与する場合のシーケンスを示す図である。
消費者が広告媒体者から広告データ（広告媒体者のユーザＩＤと商品コードを含む）を受信し、自己のユーザＩＤを付加したユーザ（ＵＲＬ）パラメータとして外部広告管理サーバ８１に送信する。
【０１４３】
外部広告管理サーバ８１は、消費者のユーザＩＤをユーザ管理サーバ２２の登録管理部４１に送信し、該当する消費者のプロファイルを取得する。そして、消費者のプロファイルを反映した広告データの検索を行い、消費者のプロファイルに合った広告データを消費者に提供する。さらに、外部広告管理サーバ８１は、消費者が広告を閲覧する契機となった広告媒体者のユーザＩＤと閲覧ポイントをポイント管理部４５に通知する。この通知を受けて、ポイント管理部４５は、ユーザ個人情報４０として記憶されている該当するユーザの蓄積ポイントに閲覧ポイントを加算する。
【０１４４】
次に、図３６は、本発明の第２の実施の形態の広告提供システムにおける広告媒体者の絞り込みを行う処理のフローチャートである。
この第２の実施の形態のシステム構成は、図３に示す第１の実施の形態と同じである。異なる点は、広告媒体者携帯端末装置２６に広告用のＵＲＬ、商品コード等を記憶せず、消費者から商品情報の送信要求を受信したときに、広告媒体者のユーザＩＤのみを消費者に送信するようにしたことである。そして、消費者が広告媒体者のユーザＩＤと消費者が商品情報を知りたい商品の商品種別、色等の検索条件を指定することで、広告代理ＡＳＰサーバ２１が、広告媒体者のユーザＩＤと、消費者により指定された検索条件から該当する広告データを検索して消費者に送信するようにしている。
【０１４５】
さらに、対象となる広告媒体者が一定の無線エリア内にいるときに消費者が広告要求の操作を複数回行い、ユーザＩＤを送信した広告媒体者のリストを作成することで広告媒体者を絞り込むようにしている。
【０１４６】
目的の人物、つまり自分の興味のある商品を身につけている人が無線通信可能範囲内に存在するとき、消費者は広告要求操作を行い、広告媒体者のユーザＩＤを受信する。この場合、無線通信可能範囲内に多数の広告媒体者が存在するときには、多数の広告媒体者のユーザＩＤが返信されてきたり、また１つしか広告媒体者のユーザＩＤが返信されてこなかった場合でも本当に目的の人物のユーザＩＤかは、この時点ではまだ特定することができない。そこでこのときに取得した広告媒体者のユーザＩＤをロギングしておき、消費者は数分後に目的の人物が無線通信可能範囲内に存在する状況で再度広告要求操作を行う。街頭においては人の動きも活発にあるので、消費者の無線通信可能範囲内に存在する広告媒体者の構成は前回広告要求操作時とは大幅に異なっていることが予想されるので、毎回ユーザＩＤが取得される広告媒体者は、目的とする人で在る可能性が高い。よって今回のロギングで取得した広告媒体者のユーザＩＤと前回のロギングで取得したユーザＩＤを比較して一致する広告媒体者のユーザＩＤを絞り込む。この操作を数回実行することにより、目的とする広告媒体者を絞り込むことができる。この広告媒体者の絞り込みにより所望の広告を入手することが可能となる。
【０１４７】
以下、図３６のフローチャートを参照して、第２の実施の形態の広告媒体者の絞り込みの処理を説明する。
広告代理ＡＳＰサーバ２１のロギングサーバ２５は、消費者が１回目の広告要求操作を行ったときに、消費者携帯端末装置２７が取得した、その無線エリア内にいる広告媒体者のユーザＩＤのリストを受信する（図３６，Ｓ１１１）。そして、受信した広告媒体者のユーザＩＤのリストを記録し（Ｓ１１２）、その後、受信待ち状態となる（Ｓ１１３）。
【０１４８】
例えば、対象となる広告媒体者の移動に伴って消費者も移動し、移動先で消費者が（ｎ＋１）回目の広告要求操作を行い、消費者携帯端末装置２７から送信されてくる広告媒体者のＩＤリストを受信する（Ｓ１１４）。受信した広告媒体者のユーザＩＤのリストをロギングする（Ｓ１１５）。そして、今回と前回のログの広告媒体者のユーザＩＤを比較する（Ｓ１１６）。
【０１４９】
そして、一致する広告媒体者のユーザＩＤが存在するか否かを判別する（Ｓ１１７）。一致するユーザＩＤが存在する場合には（Ｓ１１７，ＹＥＳ）、一致したＩＤの数が所定値ｍ以下か否かを判別する（Ｓ１１８）。
【０１５０】
一致した広告媒体者のユーザＩＤの数が所定値ｍ以下でないとき、つまり所定値ｍを超えているときには（Ｓ１１８，ＮＯ）、ステップＳ１１９に進みカウンタｎの値を「１」加算してステップＳ１１３の待ち状態に戻る。
【０１５１】
他方、一致した広告媒体者のＩＤの数が所定値ｍ以下のときには（Ｓ１１８，ＹＥＳ）、対象となる広告媒体者を絞り込めた場合であるので、一致したユーザＩＤの検索結果を消費者に通知する（Ｓ１２０）。
【０１５２】
この第２の実施の形態によれば、消費者が興味がある商品を身につけている人を見かけ、消費者携帯端末装置２７から広告情報（商品情報）の送信を要求したときに、広告媒体者が多数存在する場合、あるいは応答した広告媒体者が少ない場合でも、応答した広告媒体者が消費者が知りたい対象の人かどうかが不明なときに、複数回広告要求操作を行うことで、広告媒体者を絞り込むことができる。これにより、消費者が知りたい商品情報、商品の広告を確実に入手することができる。
【０１５３】
次に、図３７は、本発明の第３の実施の形態の広告閲覧手順の説明図である。この第３の実施の形態は、消費者が興味のある商品ｂを所持している広告媒体者のプロファイルを指定することで、消費者の周辺にいる広告媒体者の中で指定されたプロファイルに近い広告媒体者が登録している広告データを広告の閲覧要求を行った消費者に配信するものである。
【０１５４】
消費者からの広告の送信要求を受信すると、無線網の通信可能範囲内にいる広告媒体者は、それぞれ自己のユーザＩＤを無線信号により送信する（図３７，▲１▼）。
【０１５５】
消費者は、広告媒体者から受信したユーザＩＤと、自分が興味のある商品を身につけ、あるいは所持している広告媒体者のおおよそのプロファイルを検索条件として広告代理ＡＳＰサーバ２１のロギングサーバ２５に送信する（図３７，▲２▼）。
【０１５６】
ロギングサーバ２５は、消費者から送信されてきた広告媒体者のユーザＩＤと対象となる広告媒体者（この場合、商品ｂを所持している広告媒体者）のおおよそのプロファイルをユーザ管理サーバ２２に通知する。ユーザ管理サーバ２２は、ユーザ個人情報４０をユーザＩＤをキーとして検索し、さらに消費者により指定されたプロファイルに近いプロファイルを有する広告媒体者を検索する。そして、消費者により指定されたプロファイルに近い広告媒体者が存在したなら、そのユーザのユーザ個人情報４０に登録されている広告データ（広告ＵＲＬ）を取得してロギングサーバ２５に通知する（図３７，▲３▼）。
【０１５７】
ロギングサーバ２５は、ユーザ管理サーバ２２から通知される広告ＵＲＬをキーとして広告管理サーバ２３に登録されている広告データを検索し（図３７，▲４▼）、検索結果を消費者に通知する（図３７，▲５▼）。
【０１５８】
次に、図３８は、第３の実施の形態のロギングサーバ２５における広告配信処理のフローチャートである。
ロギングサーバ２５は、消費者から広告条件（広告媒体者が所持または身につけていて、消費者が興味を持った商品の商品種別、色など）と広告媒者のプロファイルとからなる検索条件を受信する（図３８，Ｓ１３１）。
【０１５９】
図３９は、上記の広告媒体者のプロファイルを含む検索条件を示す図である。この例では、消費者が興味を持った商品「靴」を履いている広告媒者の性別が「男性」で、年齢がおおよそ「２０代」で、身長がおおよそ「１７０ｃｍ」であることが、広告媒体者のプロファイルとして消費者から広告代理ＡＳＰサーバ２１に送信され、それらの条件が広告媒体者を特定するための検索条件として使用される。
【０１６０】
図３８に戻り、ロギングサーバ２５は、受信した消費者のユーザＩＤをキーにして、消費者から通知されてログとして記録されている広告媒体者のＩＤ、つまり消費者が広告要求を送信して、その応答として受信した広告媒体者のユーザＩＤを全て取り出す（Ｓ１３２）。さらに、取り出した広告媒体者のユーザＩＤにより指定されるプロファイルをユーザ管理サーバ２２から取得し、取得したプロファイルと、消費者により指定された対象となる広告媒体者のユーザプロファイルを比較する（Ｓ１３３）。そして、それらのユーザプロファイルが一致または類似しているか否かを判別する（Ｓ１３４）。
【０１６１】
プロファイルが一致または類似している場合には（Ｓ１３４，ＹＥＳ）、そのユーザＩＤを広告条件検索用の広告媒体者のユーザＩＤとして取り出す（Ｓ１３５）。
【０１６２】
次に、ログに記録されている最後の広告媒体者のプロファイルの比較が終了したか否かを判別する（Ｓ１３６）。最後の広告媒体者のプロファイルの比較が終了していなければ（Ｓ１３６，ＮＯ）、ステップＳ１３３に戻り、ログに記録されている次の広告媒体者のユーザプロファイルと指定されたプロファイルとを比較する。
【０１６３】
他方、ログに記録されている最後の広告媒体者のプロファイルの比較が終了したときには（Ｓ１３６，ＹＥＳ）、広告条件検索用に取り出した広告媒体者のユーザＩＤに対応させて記憶されている広告データを、消費者により指定された広告条件で検索する（Ｓ１３７）。
【０１６４】
次に、指定された広告条件と合致または類似している広告データが、ユーザプロファイルの一致または類似する広告媒体者のユーザ個人情報４０に登録されているか否かを判別する（Ｓ１３８）。
【０１６５】
指定された広告条件と一致または類似する広告データが登録されている場合には（Ｓ１３８，ＹＥＳ）、その広告データを消費者の送信用データに追加する（Ｓ１３９）。
【０１６６】
次に、最後の広告媒体者の広告データの比較が終了したか、つまりユーザプロファイルの一致した全ての広告媒体者について、それぞれのユーザ個人情報４０に登録されている広告データと消費者に指定された検索条件との比較が終了したか否かを判別する（Ｓ１４０）。
【０１６７】
比較が終了していなければ（Ｓ１４０，ＮＯ）、ステップＳ１３７に戻り次の広告媒体者のユーザ個人情報４０に登録されている広告データを検索する。
他方、消費者から受信し、ユーザプロファイルが一致または類似する全ての広告媒体者の広告データの比較が終了した場合には（Ｓ１４０，ＹＥＳ）、上記の処理で設定した送信用データを消費者に送信する（Ｓ１４１）。
【０１６８】
なお、ロギングサーバ２５に記録したログ情報を削除する契機としては、▲１▼条件に合致する広告が見つかったとき、▲２▼ログを登録できる最大データ領域を決めておき、消費者自身が意識的に削除する、または古いログから自動的に削除する、▲３▼消費者端末からのログ情報送信時のデータ内にログ開始／停止コマンドをつけ消費者自身がログ開始／停止を指定するなどが挙げられる。上記の方法はログ情報内の広告検索範囲を限定する基準となる。
【０１６９】
さらに、ユーザ端末にＧＰＳ（Global Positioning System）装置を内蔵させて、広告要求により取得した広告媒体者のユーザＩＤをロギングする際に、タイムスタンプとともに広告媒体者のユーザＩＤを取得した位置もロギングすることで所望の商品を身に付けている人を見かけた場所を指定して広告の検索をすることができ、より精度の高い広告の割り出しができるようになる。
【０１７０】
また、ユーザが外国人の場合、受信者が予め広告配信・受信プログラムの機能としてオプションで言語選定をできるようにし、広告のオリジナルデータが複数の言語で登録されている場合、広告の表示言語を切り替える。この場合、広告データには言語種別を保持させる。例えば、英語圏の消費者が広告媒体者から日本語の広告を受信したときに、受信者が英語の広告表示を設定していた場合、広告配信・受信プログラムは広告代理ＡＳＰサーバ２１の広告管理サーバ２３にアクセスして該当する広告を検索し、該当する英語版の広告が見つかった場合それを取得して受信者の受信広告を英語版に切り替えるようにしても良い。
【０１７１】
第３の実施の形態によれば、消費者が興味を持った商品を身につけ、あるいは所持している広告媒体者のプロファイルを指定することで広告媒体者を絞り込むことができる。従って、消費者の広告送信要求に対して多数の広告媒体者からの応答があり、どの広告媒体者が目的とする商品を身につけている人かを特定するのが難しい場合でも、消費者が知りたい商品の広告を提供している広告媒体者を的確に選び出すことができる。
【０１７２】
次に、図４０は、上述した広告提供システムを実現するプログラムを、ＣＤ−ＲＯＭ、フロッピーディスク等の可搬記録媒体１１１、あるいはプログラム提供者の有する記憶装置に１１２記憶しておいて、そのプログラムを広告代理ＡＳＰサーバ２１、携帯端末装置２６，２７等の情報処理装置１１３にダウンロードして実行する場合の説明図である。
【０１７３】
広告提供プログラムがＣＤ−ＲＯＭ、フロッピーディスク等の可搬記録媒体１１１に記録されている場合には、その可搬記録媒体１１１を情報処理装置１１３のドライブ装置に挿入してプログラムを読み取り、読み取ったプログラムをＲＡＭ、ハードディスク等の記憶装置１１４に格納してプログラムを実行する。また、プログラム提供者から通信回線を介してプログラムが提供される場合には、プログラム提供者の記憶装置１１２、メモリ等に格納されているプログラムを通信回線を介して情報処理装置で受信し、受信したプログラムをＲＡＭ、ハードディスク等の記憶装置に格納して実行する。なお、可搬記録媒体１１１に記録するプログラムは、実施の形態で述べたプログラムの一部の機能を有するものであっても良く、例えば、広告代理ＡＳＰサーバ２１の機能の一部を実現するプログラムを記憶した物でも良い。
【０１７４】
上述した実施の形態では、広告媒体者携帯端末装置２６に商品の広告情報が提供されるウェブサイトのＵＲＬ等を広告データとして記憶しておいて、広告の配信を要求した消費者携帯端末装置２７にそのＵＲＬを送信するようにしたが、広告媒体者携帯端末装置２６に商品の広告データを全て記憶しておいて、広告媒体者携帯端末装置２６から直接消費者携帯端末装置２７に全ての広告データを配信するようにしても良い。その場合、複数の広告媒体者携帯端末装置２６から受信した広告データの中から消費者どの広告データを閲覧したかは、例えば、その広告データの保存操作を行ったとき、あるいは関連する他の広告データの検索を行ったときに、消費者携帯端末装置２７の受信・配信プログラムが、広告代理ＡＳＰサーバ２１にその広告データを配信した広告媒体者のユーザＩＤを通知して該当する広告媒体者にポイントを付与すれば良い。
【０１７５】
また、実施の形態の広告提供システムは、ＡＳＰサーバ２１が広告データの管理、ユーザの登録等を行う場合について説明したが、本発明は、ＡＳＰを利用するシステムに限定されない。広告提供システムの構成は、どのような物であっても良い。
【０１７６】
さらに、上述した実施の形態は、広告媒体者携帯端末装置２６と消費者携帯端末装置２７との通信をbluetooth等により行っているが、通信方法はこれに限定されない。一定の受信エリア内で通信を行える方法であればどのような通信方法でも良い。
（付記１）広告媒体者が身につけまたは所持している商品の広告情報を携帯端末装置に記憶し、広告情報の送信要求を受信したとき、記憶してある広告情報を無線信号により送信することを特徴とする広告提供方法。
（付記２）前記広告情報は、商品の広告情報が提供されるサーバのネットワーク上の位置を指定する情報を含むことを特徴とする付記１記載の広告提供方法。
（付記３）無線信号送受信手段と、広告媒体者が身につけまたは所持している商品の広告情報を記憶する記憶手段と、広告情報の送信要求を受信したとき、前記記憶手段に記憶してある広告情報を前記無線信号送受信手段から送信させる制御手段とを備える携帯端末装置。
（付記４）広告媒体者が身につけまたは所持している商品の広告情報を携帯端末装置に記憶させる機能と、広告情報の送信要求を受信したとき、記憶してある広告情報を無線信号により送信させる機能とを実現するコンピュータ実行可能なプログラム。
（付記５）広告媒体者が身につけまたは所持している商品の広告情報を携帯端末装置に記憶させる機能と、広告情報の送信要求を受信したとき、記憶してある広告情報を無線信号により送信させる機能とを実現するプログラムを記録したコンピュータ読み取り可能な記録媒体。
（付記６）広告媒体者の広告媒体者携帯端末装置に対して広告情報の送信を要求し、前記広告媒体者携帯端末装置から送信されてくる前記広告媒体者が身につけまたは所持している商品の広告情報を受信し、受信した広告情報を表示させることを特徴とする広告取得方法。
（付記７）対象となる広告媒体者が無線信号の受信可能範囲内にいる状態で広告の送信要求を複数回行ったときに、広告媒体者携帯端末装置から送信されてくる広告媒体者のユーザ指定情報を複数回受信し、該受信したユーザ指定情報により広告媒体者を絞り込むことを特徴とする付記６記載の広告取得方法。
（付記８）複数の広告媒体者から受信したユーザ指定情報と、広告を取得すべき商品を身につけた広告媒体者のプロファイルを指定して広告情報の閲覧を要求することを特徴とする付記６または７記載の広告取得方法。
（付記９）無線信号送受信手段と、広告媒体者の広告媒体者携帯端末装置に対して広告情報の送信を要求する広告要求手段と、前記広告媒体者携帯端末装置から送信されてくる前記広告媒体者が身につけまたは所持している商品の広告情報を前記無線信号送受信手段により受信させ、受信した広告情報を表示させる制御手段とを備えることを特徴とする携帯端末装置。
（付記１０）広告媒体者の広告媒体者携帯端末装置に対して広告情報の送信を要求させる機能と、前記広告媒体者携帯端末装置から送信されてくる前記広告媒体者が身につけまたは所持している商品の広告情報を受信させ、受信した広告情報を表示させる機能とを実現するコンピュータ実行可能なプログラム。
（付記１１）広告媒体者の広告媒体者携帯端末装置に対して広告情報の送信を要求させる機能と、前記広告媒体者携帯端末装置から送信されてくる前記広告媒体者が身につけまたは所持している商品の広告情報を受信させ、受信した広告情報を表示させる機能とを実現するプログラムを記録したコンピュータ読み取り可能な記録媒体。
（付記１２）前記携帯端末装置（広告媒体者携帯端末装置または消費者携帯端末装置）は、携帯電話網の無線基地局との間で無線通信を行う機能と、前記携帯端末装置間で無線通信を行う機能を有することを特徴とする付記１〜１１のいずれか１つに記載の広告提供方法、広告取得方法、携帯端末装置、プログラムまたは記録媒体。
（付記１３）複数の広告情報を記憶し、広告媒体者のユーザ登録を受け付け、前記ユーザ登録の行われた広告媒体者の広告媒体者携帯端末装置に商品の広告情報を配信し、前記広告媒体者携帯端末装置から消費者携帯端末装置に送信された広告情報に基づいて広告の閲覧要求があったとき、該当する広告を検索して前記消費者携帯端末装置に配信する広告配信方法。
（付記１４）複数の広告情報を記憶させる機能と、広告媒体者のユーザ登録を受け付ける機能と、前記ユーザ登録の行われた広告媒体者の広告媒体者携帯端末装置に商品の広告情報を配信させる機能と、前記広告媒体者携帯端末装置から消費者携帯端末装置に送信された広告情報に基づいて広告の閲覧要求があったとき、該当する広告を検索して前記消費者携帯端末装置に配信させる機能とを実現するコンピュータ実行可能なプログラム。
（付記１５）複数の広告情報を記憶し、広告媒体者から要求された商品の広告情報を携帯端末装置に配信し、広告媒体者の携帯端末装置から消費者の携帯端末装置に送信された広告情報を契機として該広告情報を受信した消費者が広告を閲覧または商品を購入したとき、前記広告情報を提供した広告媒体者に広告報酬を与えることを特徴とする広告配信方法。
（付記１６）複数の広告情報を記憶し、広告媒体者のユーザ登録を受け付け、前記ユーザ登録の行われた広告媒体者の広告媒体者携帯端末装置に商品の広告情報を配信し、広告媒体者携帯端末装置と消費者携帯端末装置間で広告情報の送信を要求する機能または広告情報の送信機能を実現するプログラムを、前記広告媒体者携帯端末装置または消費者携帯端末装置に配信することを特徴とする広告配信方法。
（付記１７）複数の広告情報を記憶し、広告媒体者のユーザ登録を受け付け、前記ユーザ登録の行われた広告媒体者の広告媒体者携帯端末装置に商品の広告情報を配信し、消費者携帯端末装置から広告情報と前記広告媒体者を指定するためのユーザ指定情報とを指定して広告の閲覧要求があったとき、該当する広告を検索して前記消費者携帯端末装置に配信する広告配信方法。
（付記１８）複数の広告情報を記憶し、広告媒体者のユーザ登録を受け付け、消費者端末装置から広告媒体者のユーザ指定情報と商品の検索条件とを含む閲覧要求を受信したとき、該要求に基づいて該当する商品の広告情報を検索し、検索により得られた広告情報を前記消費者携帯端末装置に配信する広告配信方法。
（付記１９）複数の広告情報を記憶し、前記広告媒体者のユーザ登録を受け付け、前記ユーザ登録を行った広告媒体者のユーザ指定情報とプロファイルと該広告媒体者が身につけまたは所持している商品の広告情報を指定する広告指定情報とを記憶し、消費者携帯端末装置から広告の前記広告媒体者のユーザ指定情報と消費者により指定された広告媒体者のプロファイルとを含む閲覧要求があったとき、該要求に基づいて、登録した広告媒体者に関する情報からプロファイルの一致または類似する広告媒体者を検索し、該広告媒体者が身につけまたは所持している商品の広告を前記消費者携帯端末装置に配信する広告配信方法。
（付記２０）複数の広告情報を記憶する広告記憶し、広告媒体者及び消費者のユーザ登録を受け付け、ユーザ登録を行った広告媒体者のユーザ指定情報と広告媒体者が身につけまたは所持している商品を指定する商品指定情報及びユーザ登録を行った消費者のユーザ指定情報と消費者のプロファイルを記憶し、消費者携帯端末装置から広告の閲覧要求があったとき、前記広告媒体者のユーザ指定情報に対応づけられている該広告媒体者が身につけまたは所持している商品を指定する商品指定情報と、前記消費者のユーザ指定情報に対応づけられている該消費者のプロファイルとを検索し、検索結果に基づいて消費者のプロファイルに合う商品の広告情報を取得し、取得した広告情報を前記消費者携帯端末装置に配信する広告配信方法。
（付記２１）消費者から指定された広告媒体者のプロファイルと一致または類似するプロファイルを検索し、プロファイルの一致または類似する広告媒体者に対応づけて記憶されている広告指定情報を取得し、得られた広告指定情報により指定される広告情報を検索し、取得した広告情報を前記消費者携帯端末装置に配信する付記１９記載の広告配信方法。
（付記２２）前記ユーザ情報は、ユーザ指定情報と、広告の配信の可否を指定する情報と、配信期限と、広告情報のアクセス先を指定する情報とからなることを特徴とする付記１８、１９，２０または２１に記載の広告配信方法。
（付記２３）複数の広告情報を記憶する広告記憶手段と、広告媒体者のユーザ登録を受け付ける登録手段と、前記ユーザ登録の行われた広告媒体者の広告媒体者携帯端末装置に商品の広告情報を配信する広告配信手段と、消費者携帯端末装置から広告情報を指定して広告の閲覧要求があったとき、該当する広告を前記広告記憶手段から検索して前記消費者携帯端末装置に送信させる検索手段とを有する広告配信装置。
（付記２４）複数の広告情報を記憶する広告記憶手段と、広告媒体者のユーザ登録を受け付ける登録手段と、前記ユーザ登録を行った広告媒体者のユーザ指定情報とプロファイルと該広告媒体者が身につけまたは所持している商品の広告情報を指定する広告指定情報とを記憶するユーザ情報記憶手段と、消費者携帯端末装置から前記広告媒体者のユーザ指定情報と消費者により指定された広告媒体者のプロファイルとを含む閲覧要求があったとき、該要求に基づいて、登録した広告媒体者に関する情報からプロファイルの一致または類似する広告媒体者を検索し、該広告媒体者が身につけまたは所持している商品の広告を前記消費者携帯端末装置に送信する検索手段とを備える広告配信装置。
【０１７７】
【発明の効果】
本発明によれば、商品に興味を持った消費者が、ほしいと思ったときにその商品の情報、広告等を即時に入手することができる。また、店に陳列されている状態ではなく、実際に他の人が身につけている状態、あるいは所持している状態を見て、商品の質感、色、見栄えを等を確認できるので、その商品が自分に合うかどうかをより的確に判断できる。また、販売者の立場から見ると、従来は消費者が購入のための行動（カタログを請求する、店舗・ECサイトへ来店するなど）を起こさないと販売ができなかったが、消費者が積極的に店舗を訪れなくとも、消費者に商品の広告を提供することができ、かつ消費者が興味を持ったときに即時に広告を提供できるので、販売機会を逃がすことがなく販売効率を高めることができる。さらに、消費者が広告を閲覧、あるいは商品を購入する契機となった情報を提供した広告媒体者を特定することができるので、広告効果に見合った報酬を広告媒体者に支払うことが可能となる。
【図面の簡単な説明】
【図１】発明の説明図である。
【図２】消費者と広告媒体者間の広告配信の説明図である。
【図３】実施の形態の広告提供システムの構成を示す図である。
【図４】携帯端末装置の構成を示す図である。
【図５】ユーザ管理サーバの構成を示す図である。
【図６】ユーザ個人情報の構成を示す図である。
【図７】広告管理サーバの構成を示す図である。
【図８】広告管理情報の構成を示す図である。
【図９】販売管理サーバの構成を示す図である。
【図１０】商品管理情報の構成を示す図である。
【図１１】ロギングサーバの構成を示す図である。
【図１２】販売者が広告依頼を行う場合の説明図である。
【図１３】広告代理ＡＳＰサーバと別に広告管理サーバを設ける場合の説明図である。
【図１４】ユーザ管理サーバにユーザ登録する手順の説明図である。
【図１５】ユーザ管理サーバのユーザ登録処理のフローチャートである。
【図１６】広告媒体者が広告データを取得する手順の説明図である。
【図１７】広告媒体者携帯端末装置における広告データを取得する処理のフローチャートである。
【図１８】広告管理サーバにおける広告データ配信処理のフローチャートである。
【図１９】図１９（Ａ）、（Ｂ）は、応答データの一例を示す図である。
【図２０】広告管理表の一例を示す図である。
【図２１】配信者のローカルな宣伝を配信する場合の広告管理表を示す図である。
【図２２】広告媒体者携帯端末装置における広告データ更新処理のフローチャートである。
【図２３】消費者が広告を閲覧する際の手順の説明図である。
【図２４】消費者携帯端末装置における広告データの送信要求処理のフローチャートである。
【図２５】広告媒体者携帯端末装置における広告データの配信処理のフローチャートである。
【図２６】広告媒体者のユーザＩＤと検索条件に基づいて広告データを消費者に送信する場合の説明図である。
【図２７】消費者のプロファイルに基づいて最適な広告データを消費者に送信する場合の説明図である。
【図２８】広告媒体者のユーザＩＤと消費者が指定する検索条件に基づく検索処理のフローチャートである。
【図２９】消費者のプロファイルに基づいて最適な広告データを消費者に送信する処理のフローチャートである。
【図３０】同図（Ａ）〜（Ｄ）は、ユーザプロファイルと検索条件を示す図である。
【図３１】消費者携帯端末装置のメニュー画面を示す図である。
【図３２】消費者が広告を閲覧したとき広告媒体者にポイントを付与する場合の説明図である。
【図３３】消費者が来店したとき広告媒体者にポイントが付与される場合の説明図である。
【図３４】ポイント管理部のポイント付加処理のフローチャートである。
【図３５】消費者のプロファイルに基づいて広告データを提供する場合のシーケンスを示す図である。
【図３６】第２の実施の形態の広告媒体者の絞り込みのフローチャートである。
【図３７】第３の実施の形態の広告閲覧手順の説明図である。
【図３８】第３の実施の形態の広告配信処理のフローチャートである。
【図３９】広告媒体者のプロファイルを含む検索条件を示す図である。
【図４０】記録媒体の説明図である。
【符号の説明】
１      無線信号送受信手段
２      制御手段
３      記憶手段
４      携帯端末装置
２１    広告代理ＡＳＰサーバ
２２    ユーザ管理サーバ
２３    広告管理サーバ
２４    販売管理サーバ
２５    ロギングサーバ
２６    広告媒体者携帯端末装置
２７    消費者携帯端末装置
２８    ネットワーク
２９    販売者／メーカシステム装置
【図１】
0003757131.tif 000002
【図２】
0003757131.tif 000003
【図３】
0003757131.tif 000004
【図４】
0003757131.tif 000005
【図５】
0003757131.tif 000006
【図６】
0003757131.tif 000007
【図７】
0003757131.tif 000008
【図８】
0003757131.tif 000009
【図９】
0003757131.tif 000010
【図１０】
0003757131.tif 000011
【図１１】
0003757131.tif 000012
【図１２】
0003757131.tif 000013
【図１３】
0003757131.tif 000014
【図１４】
0003757131.tif 000015
【図１５】
0003757131.tif 000016
【図１６】
0003757131.tif 000017
【図１７】
0003757131.tif 000018
【図１８】
0003757131.tif 000019
【図１９】
0003757131.tif 000020
【図２０】
0003757131.tif 000021
【図２１】
0003757131.tif 000022
【図２２】
0003757131.tif 000023
【図２３】
0003757131.tif 000024
【図２４】
0003757131.tif 000025
【図２５】
0003757131.tif 000026
【図２６】
0003757131.tif 000027
【図２７】
0003757131.tif 000028
【図２８】
0003757131.tif 000029
【図２９】
0003757131.tif 000030
【図３０】
0003757131.tif 000031
【図３１】
0003757131.tif 000032
【図３２】
0003757131.tif 000033
【図３３】
0003757131.tif 000034
【図３４】
0003757131.tif 000035
【図３５】
0003757131.tif 000036
【図３６】
0003757131.tif 000037
【図３７】
0003757131.tif 000038
【図３８】
0003757131.tif 000039
【図３９】
0003757131.tif 000040
【図４０】
0003757131.tif 000041